(57)【要約】【課題】アンテナを構成した薄型の基板をさらに小型化することができるようにした基板型アンテナを提供する。【解決手段】一方側基板面に形成した第一結合部パターン５，６に、一方側基板面における第一アンテナを構成するアンテナ素子７と給電点１０との間で送受信信号を送受信するとき、途中で第一結合部パターン６から第二結合部パターン１４に送受信信号を移行させることが可能な分断部３，４を形成した。【選択図】図１
2015046790.tif 000002
【特許請求の範囲】
【請求項１】
誘電体からなる基板の一方側基板面に、第一結合部パターンを形成し、前記基板の他方側基板面に前記第一結合部パターンに対向して第二結合部パターンを形成した基板型アンテナにおいて、
前記基板の前記一方側基板面に、前記第一結合部パターンのループを分断して前記第一結合部パターンを二分割する分断部と、分断した一方の分断第一結合部パターンに接続した給電点と、分断した他方の分断第一結合部パターンに接続した第一アンテナを構成するアンテナ素子とを設け、前記基板の他方側基板面に、前記第二結合部パターンのループを分断する分断部と、前記第二結合部パターンに接続した第二アンテナを構成するアンテナ素子とを設け、前記第一結合部パターンに設けた前記分断部は、前記第一アンテナを構成する前記アンテナ素子と前記給電点との間で送受信信号を送受信するとき、途中で前記第一結合部パターンから前記第二結合部パターンに送受信信号を移行させることが可能な大きさに形成したことを特徴とする基板型アンテナ。
【請求項２】
前記第一結合部パターンに設けた前記分断部は、前記第一結合部パターンと前記第二結合部パターンとの対向部に位置した前記基板の厚さより大きなギャップを有して形成した特徴とする請求項１に記載の基板型アンテナ。
【請求項３】
前記第一アンテナと、前記第二アンテナとは、共振周波数の異なる周波数帯域のものとしたことを特徴とする請求項１に記載の基板型アンテナ。
【請求項４】
前記第一結合部パターンを形成した前記基板の前記一方側基板面に、第二の基板を結合して一体化し、前記第二の基板の非結合側面に、前記第二の基板を介して前記第一結合部パターンと静電容量結合および磁気誘導結合した第三結合部パターンと、前記第三結合部パターンに接続した第三アンテナとを形成したことを特徴とする請求項１に記載の基板型アンテナ。
【発明の詳細な説明】
【技術分野】
【０００１】
本発明は、薄型の基板上にアンテナを構成した基板型アンテナに関する。
【背景技術】
【０００２】
従来の基板型アンテナとして、誘電体からなる基板と、この基板の一方側基板面に形成されて一ヶ所で分断したループ状の第一結合部パターンと、基板の他方側基板面に形成されて一ヶ所で分断すると共に、分断した両端にそれぞれ給電点を接続したループ状の第二結合部パターンとを有し、第一結合部パターンおよび第二結合部パターン間を静電容量結合および磁気誘導結合し、第一結合部パターンの一方端にアンテナを接続して構成したものが知られている。このような構成によれば、基板によるパターン間の静電容量結合および磁気誘導結合状態が大きく改善され、従来に比べて特性に優れた高周波結合器を容易に得ることができる（例えば、特許文献１を参照）。
【先行技術文献】
【特許文献】
【０００３】
【特許文献１】国際公開番号Ｗ２００６−２２０４６号公報
【発明の概要】
【発明が解決しようとする課題】
【０００４】
しかしながら、従来の基板型アンテナでは、一枚の基板における一方側基板面に第一結合部パターンとアンテナを形成し、他方側基板面には給電点を有する第二結合部パターンを形成する構成であったため、一つの共振周波数を有する基板型アンテナであり、薄型の基板を用いた構成を十分には活用することができないでいた。
【０００５】
本発明の目的は、アンテナを構成した薄型の基板をさらに小型化することができるようにした基板型アンテナを提供することにある。
【課題を解決するための手段】
【０００６】
本発明は上記目的を達成するために、誘電体からなる基板の一方側基板面に、第一結合部パターンと、前記第一結合部パターンに接続した給電点と、前記第一結合部パターンに接続した第一アンテナを構成するアンテナ素子とを設け、前記基板の他方側基板面に、一箇所を分断して前記第一結合部パターンに対向して配置した第二結合部パターンと、前記第二結合部パターンに接続した第二アンテナを構成するアンテナ素子とを設けた基板型アンテナにおいて、前記一方側基板面に形成した前記第一結合部パターンに、前記一方側基板面における前記第一アンテナを構成する前記アンテナ素子と前記給電点との間で送受信信号を送受信するとき、途中で前記第一結合部パターンから前記第二結合部パターンに送受信信号を移行させることが可能な分断部を形成したことを特徴とする。
【０００７】
このような構成によれば、一方側基板面に構成したアンテナ素子と給電点との間での送受信信号は、給電点から第一結合部パターンに至り、その後は、分断部が存在するために他方側基板面の第二結合部パターンに至り、この第二結合部パターンでは分断部を避けて迂回しながら再び第一結合部パターンに戻り、最終的にアンテナ素子に至ることになる。また給電点と他方側基板面に構成したアンテナ素子との間での送受信信号でも、第一結合部パターンと第二結合部パターン間でやり取りすることになる。従って、二つのアンテナを構成することができるだけでなく、第一アンテナまたは第二アンテナのいずれを使用して送受信する場合でも、基板の一方側基板面と他方側基板面に形成されて対向配置された第一結合部パターンと第二結合部パターン間の静電容量結合および磁気誘導結合を効果的に利用することができ、アンテナ素子７を小さく単純な形状にして基板を簡素で小型化することができる。
【０００８】
また本発明は上述の構成に加えて、前記第一結合部パターンに設けた前記分断部は、前記第一結合部パターンと前記第二結合部パターンとの対向部に位置した前記基板の厚さより大きなギャップを有して形成した特徴とする。
【０００９】
このような構成によれば、第一結合部パターンに形成した分断部のギャップと、第一結合部パターンと第二結合部パターンとの間には基板を構成するものと同じ誘電体を充填することができ、簡単な構成で、一方側基板面に構成したアンテナ素子と給電点との間での送受信信号を、他方側基板面の第二結合部パターンに送り、その後、この第二結合部パターンから再び第一結合部パターンに容易に戻すことができるので、一層、アンテナ素子を小さく単純な形状にして基板を簡素で小型化することができる。
【００１０】
また本発明は上述の構成に加えて、前記第一アンテナと、前記第二アンテナとは、共振周波数の異なる周波数帯域のものとしたことを特徴とする。
【００１１】
このような構成によれば、簡単な構成で小型化した基板を使用して、見かけ上は１枚の薄型の基板でありながら、二つの第一アンテナおよび第二アンテナを構成し、しかも共通の給電点から異なる二つの周波数帯域の信号を送受信することができる。
【００１２】
また本発明は上述の構成に加えて、前記第一結合部パターンを形成した前記基板の前記一方側基板面に、第二の基板を貼り合わせて一体化し、前記第二の基板の非結合側面に、前記第二の基板を介して前記第一結合部パターンと静電容量結合および磁気誘導結合した第三結合部パターンと、前記第三結合部パターンに接続した第三アンテナとを形成したことを特徴とする。
【００１３】
このような構成によれば、二枚の薄型の基板を使用しながらも、両者間を貼り合わせて見かけ上は一枚の薄型基板状に構成することができ、第一の基板の一方側基板面に第一アンテナを構成し、第一の基板の他方側基板面に異なる第二アンテナを構成し、第二の基板の反対向側面には第三アンテナを構成することができる。しかも、共通の給電点を使用しながらも各結合部パターン間の静電容量結合および磁気誘導結合を効果的に活用した小型の基板型アンテナを得ることができる。
【発明の効果】
【００１４】
本発明による基板型アンテナによれば、一方側基板面に構成したアンテナ素子と給電点との間での送受信信号は、給電点から第一結合部パターンに至り、その後は、分断部が存在するために他方側基板面の第二結合部パターンに至り、この第二結合部パターンでは分断部を避けて迂回しながら、再び第一結合部パターンに戻り、最終的にアンテナ素子に至ることになる。また給電点と他方側基板面に構成したアンテナ素子との間での送受信信号でも、第一結合部パターンと第二結合部パターン間でやり取りすることになる。従って、二つのアンテナを構成することができるだけでなく、第一アンテナまたは第二アンテナのいずれを使用して送受信する場合でも、基板の一方側基板面と他方側基板面に形成されて対向配置された第一結合部パターンと第二結合部パターン間の静電容量結合および磁気誘導結合を効果的に利用することができ、アンテナ素子７を小さく単純な形状にして基板を簡素で小型化することができる。
【図面の簡単な説明】
【００１５】
【図１】本発明の一実施の形態による基板型アンテナの一方側基板面を示す平面図である。
【図２】図１の基板型アンテナの他方側基板面を示す平面図である。
【図３】図１に示した第一アンテナでのＶＳＷＲ値を示す周波数特性曲線図である。
【図４】図２に示した第二アンテナでのＶＳＷＲ値を示す周波数特性曲線図である。
【図５】図１に示した第一アンテナのある共振周波数における利得および指向性を示すパターン特性図である。
【図６】図１に示した第一アンテナの他の共振周波数における利得および指向性を示す特性曲線図である。
【図７】図１に示した第一アンテナのさらに他の共振周波数における利得および指向性を示す特性曲線図である。
【図８】図２に示した第二アンテナのある共振周波数における利得および指向性を示すパターン特性図である。
【図９】図２に示した第二アンテナの他の共振周波数における利得および指向性を示す特性曲線図である。
【図１０】図２に示した第二アンテナのさらに他の共振周波数における利得および指向性を示す特性曲線図である。
【図１１】図２に示した第二アンテナのさらに他の共振周波数における利得および指向性を示す特性曲線図である。
【図１２】本発明の他の実施の形態による基板型アンテナの組み立て前の状態を示す斜視図である。
【発明を実施するための形態】
【００１６】
以下、本発明の実施の形態を図面に基づいて説明する。
【００１７】
図１および図２は、本発明の一実施の形態による基板型アンテナの一方側基板面および他方側基板面を示すそれぞれ平面図である。基板１は、誘電体、例えばガラスエポキシ機材によって製作され、この基板１の一方側基板面には、図１に示したように切り欠き部２を有すると共に、この切り欠き部２で二分割するように設けた二箇所の分断部３，４によって分断し近接配置した分断第一結合部パターン５，６を形成している。一方の分断第一結合部パターン５には第一アンテナを構成するアンテナ素子７を一体的に形成しており、他方の分断第一結合部パターン６には電路８を介してケーブル９の信号線に接続した給電点１０が構成されている。給電点１０との接続部を包囲するようにアース部１１が配置され、このアース部１１はケーブル９のアース線に接続されてアース点が構成されている。
【００１８】
上述したケーブル９は、長さ１００ｍｍ、太さ１．１３ｍｍ程度である。また上述した基板１は、厚さ０．３ｍｍ、長さ４５ｍｍ、幅８ｍｍ程度の外形寸法を有して矩形に成されている。第一結合部パターン５，６の対向部に形成した円形などの切り欠き部２の直径は３ｍｍ程度、分断部３，４のギャップは０．５ｍｍ程度にされている。アンテナ素子７は、第一結合部パターン５，６を含めて長さ２７ｍｍ、幅７ｍｍ程度である。ここで、アンテナ素子７から成る第一アンテナの共振周波数帯域は、例えば２．４００ＧＨｚ帯域、詳細には２．４００ＧＨｚ〜２．５００ＧＨｚである。
【００１９】
一方、同じ基板１の他方側基板面には、図１の切り欠き部２に対応する位置に切り欠き部１３を有する第二結合部パターン１４を形成している。この第二結合部パターン１４は、図２に示すように第一結合部パターン５，６の分断部３または分断部４とほぼ合致させた位置に分断部１５を形成しており、この第二結合部パターン１４における分断部１５の一方側に電路１６を介して第二アンテナを構成するアンテナ素子１７が接続されている。
【００２０】
第二結合部パターン１４は、第一結合部パターン５，６とほぼ同形状あるいは類似形状であり、第二アンテナを構成するアンテナ素子１７は、端部の主要部の長さ４ｍｍ、幅７ｍｍ程度で、電路１６側の部分は、長さ１０ｍｍ、幅２ｍｍ程度である。上述した第二アンテナの共振周波数帯域は、先の第一アンテナの周波数帯域とは異なり、例えば５ＧＨｚ帯域、詳細には５．１８０ＧＨｚ〜５．８２５ＧＨｚである。しかし、両アンテナの周波数帯域は、例示したものに限定するものではないが、両者は少なくとも異なる周波数帯域としている。
【００２１】
このような構成の基板型アンテナは、給電点１０およびアース点１２を形成する側の第一結合部パターンに、切り欠き部２を包囲する周方向を分断するように二つの分割部３，４を形成し、これまで一つだった第一結合部パターンは二つの分断第一結合部パターン５，６に分割されている。このような構成によれば、基板１の一方側基板面と他方側基板面で対向配置した第一結合部パターン５，６と第二結合部パターン１４との間の静電容量結合および磁気誘導結合を一層効果的に利用することができる。
【００２２】
例えば、図１に示したアンテナ素子７と給電点との間で送受信信号は、給電点１０から分断第一結合部パターン６に至り、その後は、分断部３，４が存在するために図２に示した他方側基板面の第二結合部パターン１４に至り、この第二結合部パターン１４では分断部１５を避けた切り欠き部１３の外周方向に迂回しながら、再び図１側の分断第一結合部パターン５に戻り、最終的にアンテナ素子７に至る。従って、このときの送受信信号は、基板１の一方側基板面と他方側基板面に形成されて対向配置された第一結合部パターン５，６と第二結合部パターン１４間の静電容量結合および磁気誘導結合を効果的に利用することができる。
【００２３】
特に、図１に示した一方側基板面でのアンテナ素子７と給電点１０との間で送受信信号の送受信のために、第一結合部パターン５，６と第二結合部パターン１４間の対向部における静電容量結合および磁気誘導結合を活用しているため、アンテナ素子７を小さく単純な形状にすることができ、これによって基板１を簡素で小型化することができる。従来の考え方による基板型アンテナでは、基板は厚さ０．３ｍｍ、長さ３７ｍｍ、幅２０ｍｍ程度の外形寸法となるのに対して、図１および図２に示した基板１は上述したように厚さ０．３ｍｍ、長さ４５ｍｍ、幅８ｍｍ程度の外形寸法となり、特に幅方向を従来の半分以下にまで十分小型化することができる。
【００２４】
一方、図２に示した第二アンテナのアンテナ素子１７と給電点１０との間での送受信信号は、給電点１０から先ず第一結合部パターン６に至り、その後は、分断部３，４が存在するために図２に示した他方側基板面の第二結合部パターン１４に至り、第二結合部パターン１４では分断部１５を避けた切り欠き部１３の外周方向に迂回しながら、電路１６を介してアンテナ素子１７に至る。従って、このときの送受信信号も、基板１の一方側基板面に形成した第一結合部パターン６と他方側基板面に形成した第二結合部パターン１４間で静電容量結合および磁気誘導結合を効果的に活用することができる。
【００２５】
上述の説明から分かるように、給電点１０を有した側の一方側基板面の第一結合部パターン５，６に形成する分断部３，４のためのギャップ長は０．５ｍｍであり、第一結合部パターン５，６と第二結合部パターン１４との対向部に位置する基板１の厚さは０．３ｍｍである。これは、分断部３，４のギャップと、第一結合部パターン５，６と第二結合部パターン１４との対向部に同じ基板材料、例えばガラスエポキシ機材が充填されて同じ誘電率であることを想定しているためである。従って、他の構成も考慮すると、第一結合部パターン５，６に形成する分断部３，４のギャップ長は、基板１の一方側基板面におけるアンテナ素子７と給電点１０との間で送受信信号の送受信に際して、途中で第一結合部パターン６から第二結合部パターン１４に移行させることが可能なギャップ長とすると良い。
【００２６】
このようにして、一枚の薄型の基板１を使用してその一方側基板面に第一アンテナを構成し、他方側基板面に異なる第二アンテナを構成することができ、いずれのアンテナを使用する場合でも、その一方側基板面に形成した第一結合部パターン５，６と、その他方側基板面に形成した第二結合部パターン１４とは、基板１の静電容量を介して静電容量結合されると共に磁気誘導結合されることになる。
【００２７】
しかも、見かけ上は１枚の薄型の基板１でありながら、二つの第一アンテナおよび第二アンテナを構成することができ、しかも共通の給電点１０およびアース点１２から異なる二つの周波数帯域の信号を送受信するモノポール方式アンテナが可能となる。この種のモノポール方式アンテナでは、アンテナ素子の長さと形状を変更することによって共振周波数帯域を変えることができるので、全体構成を複雑にすることなく異なる二つの周波数帯域の信号を送受信することができる。また各分断部３，４，１５の位置も上述した効果を期待できる範囲で多少周方向にずれて形成されていても良い。しかも、上述したように、一方側基板面または他方側基板面のいずれのアンテナを使用する場合でも、その一方側基板面に形成した第一結合部パターン５，６と、他方側基板面に形成した第二結合部パターン１４とが基板１の静電容量を介して静電容量結合されると共に磁気誘導結合されることになるため、結果として基板１を一層小型にすることができる。
【００２８】
上述したアンテナ素子７から構成した第一アンテナは、その共振周波数を２．４ＧＨｚ帯域に設計すると、第一アンテナ単体でのＶＳＷＲ値は図３に示した周波数特性曲線１８のようになる。周波数特性曲線１８から分かるように、横軸の共振周波数２．４００ＧＨｚ〜２．５００ＧＨｚにあっては、縦軸のＶＳＷＲ値が１．００〜２．００の範囲内であり、安定した周波数特性を得ることができる。
【００２９】
また上述した第一アンテナの利得および指向性は、図４〜図６に示すように共振周波数２．４ＧＨｚでは最大利得１．９３ｄＢｉ、共振周波数２．４５ＧＨｚでは最大利得２．９２ｄＢｉ、共振周波数２．５ＧＨｚでは最大利得２．９５ｄＢｉであり、いずれも利得および指向性に優れている。
【００３０】
一方、上述したアンテナ素子１７から構成した第二アンテナは、その共振周波数を５ＧＨｚ帯域に設計すると、第二アンテナ単体でのＶＳＷＲ値は図７に示した周波数特性曲線１９のようになる。周波数特性曲線１９から分かるように、横軸の共振周波数５．１８０ＧＨｚ〜５．８２５ＧＨｚにあっては、縦軸のＶＳＷＲ値がほぼ１．００〜２．００の範囲内であり、安定した周波数特性を得ることができる。
【００３１】
また上述した第二アンテナの利得および指向性は、図８〜図１１に示すように共振周波数５．２ＧＨｚでは最大利得−０．１９ｄＢｉ、共振周波数５．４ＧＨｚでは最大利得−０．１１ｄＢｉ、共振周波数５．６ＧＨｚでは最大利得０．４６ｄＢｉ、共振周波数５．８ＧＨｚでは最大利得０．８７ｄＢｉであり、いずれも利得および指向性に優れている。
【００３２】
両アンテナの利得を給電点１０とアース点１２から５０オームの特性インピーダンスで受け取れるように各結合部パターン５，６，１４の大きさなどを設計すると、給電点１０とアース点１２からは、第一アンテナ単体での利得と、第二アンテナ単体での利得とが合成された形で受け取ることができる。
【００３３】
このようにして、上述した基板型アンテナによれば、見かけ上は簡単な一枚の薄い基板１でありながら、第一アンテナと第二アンテナを構成することができ、しかも、給電点１０とアース部１２を共用して利得のピークが２．４ＧＨｚ帯域と５ＧＨｚ帯域とを示す異なる二つの共振周波数帯域の合成利得を得ることができる。
【００３４】
上述した実施の形態における基板型アンテナでは、一方側基板面にアンテナ素子７によって第一アンテナを構成し、他方側基板面にアンテナ素子１７によって第二アンテナを構成し、両アンテナの共振周波数を異ならせているが、それらの共振周波数は２．４ＧＨｚ帯域と５ＧＨｚ帯域に限らず任意に設定することができる。また、構成は同一で両アンテナの共振周波数をほぼ同一にしたものにも適用することができる。
【００３５】
例えば、第一アンテナ単体での共振周波数をある値に調整したときの利得が約１．７ｄＢであるモデルと、第二アンテナ単体での共振周波数を同じ値に調整したときの利得が約１．０ｄＢであるモデルとを図１および図２に示すように組み合わせたとする。さらに、両アンテナの利得を共通の給電点１０とアース点１２から５０オームの特性インピーダンスで受け取れるように各結合部パターン５，６，１４の大きさなどを設計すると、共振周波数は同じであるが高利得が得られる。
【００３６】
また上述の構成によって広帯域化を実現することもできる。例えば、アンテナ素子７によって構成した第一アンテナの共振周波数をある値に調整したときの利得を有するモデルと、アンテナ素子１７によって構成した第二アンテナ単体での共振周波数を少しずらした他の値に調整したときの利得を有するモデルとを図１および図２に示すように組み合わせたとする。両アンテナの利得を共通の給電点１０とアース点１２から５０オームの特性インピーダンスで受け取れるように各結合部パターン５，６，１４の大きさなどを設計すると、共振周波数は広帯域で高利得が得られる。
【００３７】
図１２は、本発明の他の実施の形態による基板型アンテナの組み立て前の状態を示す斜視図である。
【００３８】
基板１の上面には、図１に示したように第一結合部パターン５，６や給電点１０や第一アンテナを構成するアンテナ素子７などが構成されており、基板１の下面には、図２に示したように第二結合部パターン１４や第二アンテナを構成するアンテナ素子１７等が構成されている。
【００３９】
基板１とは別に、基板１とほぼ同じ形状、大きさおよび材質で第二の基板２０が追加されており、第二の基板２０における基板１の反対向側となる上面には、第三結合部パターン２１と、電路２２を介して第三結合部パターン２１に接続されて第三アンテナを構成するアンテナ素子２３とが形成されている。第三結合部パターン２１には、図２に示した第二結合部パターン１４と同様に周方向を分断する分断部２４が形成されている。
【００４０】
この第二の基板２０を基板１とは別体で製作した後、第二の基板２０の下面側と基板１の上面側とは接着などによって貼り合わせている。
【００４１】
このような構成によって、先の実施の形態の場合と同様に第一結合部パターン５，６と第二結合部パターン１４との間は、基板１の静電容量を介して静電容量結合されると共に磁気誘導結合されることになり、さらに、第二結合部パターン１４と第三結合部パターン２１との間は、第二の基板２０の静電容量を介して静電容量結合および磁気誘導結合が追加されたことになる。
【００４２】
図１２に示した第三アンテナのアンテナ素子２３と給電点１０との間での送受信信号は、給電点１０から先ず第一結合部パターン６に至り、その後は、分断部３，４が存在するために第二の基板２０の第三結合部パターン２１に至り、第三結合部パターン２１では分断部２４を避けながら周方向に迂回し、電路２２を介してアンテナ素子２３に至る。
【００４３】
ここで、第一アンテナ、第二アンテナおよび第三アンテナは、先の実施の形態でも説明したようにそれぞれ共振周波数の周波数帯域が異なるものとしても良いし、ほぼ等しい共振周波数としても良い。
【００４４】
このような構成の基板型アンテナによれば、二枚の薄型の基板１，２０を使用しながらも、両者間を貼り合わせて見かけ上は一枚の薄型基板状に構成することができ、基板１の一方側基板面に第一アンテナを構成し、基板１の他方側基板面に異なる第二アンテナを構成し、第二の基板２０の反対向側面に第三アンテナを構成することができる。しかも、共通の給電点１０を使用しながらも各結合部パターン６，１４，２１間の静電容量結合および磁気誘導結合を効果的に活用した小型の基板型アンテナを得ることができる。
【００４５】
以上説明したように本発明は、誘電体からなる基板１の一方側基板面に、第一結合部パターン５，６と、第一結合部パターン６に接続した給電点１０と、第一結合部パターン５に接続した第一アンテナを構成するアンテナ素子７とを設け、基板１の他方側基板面に、一箇所を分断して第一結合部パターン５，６に対向して配置した第二結合部パターン１４と、第二結合部パターン１４に接続した第二アンテナを構成するアンテナ素子１７とを設けた基板型アンテナにおいて、一方側基板面に形成した第一結合部パターン５，６に、一方側基板面における第一アンテナを構成するアンテナ素子７と給電点１０との間で送受信信号を送受信するとき、途中で第一結合部パターン６から第二結合部パターン１４に送受信信号を移行させることが可能な分断部３，４を形成したことを特徴とする。
【００４６】
このような構成によれば、一方側基板面に構成したアンテナ素子７と給電点１０との間での送受信信号は、給電点１０から第一結合部パターン６に至り、その後は、分断部３，４が存在するために他方側基板面の第二結合部パターン１４に至り、この第二結合部パターン１４では分断部１５を避けて迂回しながら、再び第一結合部パターン５に戻り、最終的にアンテナ素子７に至ることになる。また給電点と他方側基板面に構成したアンテナ素子との間での送受信信号でも、第一結合部パターンと第二結合部パターン間でやり取りすることになる。従って、二つのアンテナを構成することができるだけでなく、第一アンテナまたは第二アンテナのいずれを使用して送受信する場合でも、基板の一方側基板面と他方側基板面に形成されて対向配置された第一結合部パターンと第二結合部パターン間の静電容量結合および磁気誘導結合を効果的に利用することができ、アンテナ素子７を小さく単純な形状にして基板を簡素で小型化することができる。
【００４７】
また本発明は上記の構成に加えて、第一結合部パターンに設けた分断部３，４は、第一結合部パターン６と第二結合部パターン１４との対向部に位置した基板１の厚さより大きなギャップを有して形成した特徴とする。
【００４８】
このような構成によれば、第一結合部パターンに形成した分断部３，４のギャップと、第一結合部パターン６と第二結合部パターン１４間の間には基板を構成するものと同じ誘電体を充填することができ、簡単な構成で、一方側基板面に構成したアンテナ素子７と給電点１０との間での送受信信号を、他方側基板面の第二結合部パターン１４に送り、その後、この第二結合部パターン１４から再び第一結合部パターン５に容易に戻すことができるので、一層、アンテナ素子７を小さく単純な形状にして基板１を簡素で小型化することができる。
【００４９】
また本発明は上記の構成に加えて、第一アンテナと、第二アンテナとは、共振周波数の異なる周波数帯域のものとしたことを特徴とする。
【００５０】
このような構成によれば、簡単な構成で小型化した基板１を使用して、見かけ上は１枚の薄型の基板１でありながら、二つの第一アンテナおよび第二アンテナを構成し、しかも共通の給電点１０から異なる二つの周波数帯域の信号を送受信することができる。
【００５１】
また本発明は上記の構成に加えて、第一結合部パターン５，６を形成した基板１の一方側基板面に、第二の基板２０を結合し、第二の基板２０の非結合側面に、第二の基板２０を介して第一結合部パターン５，６と静電容量結合および磁気誘導結合した第三結合部パターン２１と、第三結合部パターン２１に接続した第三アンテナ２３とを形成したことを特徴とする。
【００５２】
このような構成によれば、二枚の薄型の基板１，２０を使用しながらも、両者間を接着して見かけ上は一枚の薄型基板状に構成することができ、基板１の一方側基板面に第一アンテナを構成し、基板１の他方側基板面に異なる第二アンテナを構成し、第二の基板２０の反対向側面に第三アンテナを構成することができる。しかも、共通の給電点１０を使用しながらも各結合部パターン６，１４，２１間の静電容量結合および磁気誘導結合を効果的に活用した小型の基板型アンテナを得ることができる。
【符号の説明】
【００５３】
１    基板
２    切り欠き部
３，４  分断部
５，６  分断第一結合部パターン
７    アンテナ素子
１０  給電点
１１  アース部
１３  切り欠き部
１４  第二結合部パターン
１５  分断部
１７  アンテナ素子
【図１】
2015046790.tif 000003
【図２】
2015046790.tif 000004
【図３】
2015046790.tif 000005
【図４】
2015046790.tif 000006
【図５】
2015046790.tif 000007
【図６】
2015046790.tif 000008
【図７】
2015046790.tif 000009
【図８】
2015046790.tif 000010
【図９】
2015046790.tif 000011
【図１０】
2015046790.tif 000012
【図１１】
2015046790.tif 000013
【図１２】
2015046790.tif 000014